(57)【特許請求の範囲】
【請求項１】
キャップ本体（１００）の上方に蓋部（２００）が開閉可能に蝶番部（３００）を介して接続し、該蓋部の周壁（２１０）下端内周に嵌着凹部（２１１）を設け、前記キャップ本体の周壁（１１０）の上端内側に薄肉脆弱線（１０１）を介して天板（１２０）が接続し、該天板（１２０）の外周縁部の上面に嵌着リング（１３０）を設け、ボトルの口頸部に打栓して装着されるプラスチックキャップ（１０）であって、前記蓋部（２００）を前記キャップ本体（１００）に閉じたときに、前記キャップ本体（１００）の嵌着リング（１３０）の上面に当接する圧力受けリング（２１３）を、前記蓋部（２００）の嵌着凹部（２１１）の天面に連続的又は断続的に設け、且つ、前記蓋部（２００）の周壁（２１０）の下面と前記キャップ本体（１００）の周壁（１１０）の上面との間に間隙（２１４）を設けたことを特徴とする打栓式分別回収用プラスチックキャップ。
【請求項２】
前記蓋部（２００）の周壁（２１０）下面又は前記キャップ本体（１００）の周壁（１１０）上面に、圧力受け補助リング（２１５又は１１２）を連続的又は断続的に設けたことを特徴とする請求項１記載の打栓式分別回収用プラスチックキャップ。
【請求項３】
キャップ本体（１００）の上方に蓋部（２００）が開閉可能に蝶番部（３００）を介して接続し、該蓋部の周壁（２１０）下端内周に嵌着凹部（２１１）を設け、前記キャップ本体の周壁（１１０）の上端内側に薄肉脆弱線（１０１）を介して天板（１２０）が接続し、該天板（１２０）の外周縁部の上面に嵌着リング（１３０）を設け、ボトルの口頸部に打栓して装着するプラスチックキャップ（１０）であって、前記蓋部（２００）を前記キャップ本体（１００）に閉じたときに、前記蓋部（２００）の嵌着凹部（２１１）の天面に当接する圧力受けリング（１３２）を、キャップ本体（１００）の嵌着リング（１３０）の上面に連続的又は断続的に設け、且つ、前記蓋部（２００）の周壁（２１０）の下面と前記キャップ本体（１００）の周壁（１１０）の上面との間に間隙（２１４）を設けたことを特徴とする打栓式分別回収用プラスチックキャップ。
【請求項４】
前記蓋部（２００）の周壁（２１０）下面又は前記キャップ本体（１００）の周壁（１１０）上面に、圧力受け補助リング（２１５又は１１２）を連続的又は断続的に設けたことを特徴とする請求項３記載の打栓式分別回収用プラスチックキャップ。
【請求項５】
前記間隙（２１４）が０．４〜０．６ｍｍであることを特徴とする請求項１乃至請求項４のいずれか１項に記載の打栓式分別回収用プラスチックキャップ。
【発明の詳細な説明】
【０００１】
【発明の属する技術分野】
本発明は、醤油などの低粘度の内容物を収容したボトルの口頸部に装着する打栓式分別回収用プラスチックキャップに関するものである。
【０００２】
【従来の技術】
最近、環境保全や省資源の立場から、内容物を使用したボトルを廃棄処理するときのし易さやリサイクル性を考慮した打栓式分別回収用プラスチックキャップが開発され実用化されていた。このプラスチックキャップ（１０）としては、例えば、図３に示すように、キャップ本体（１００）の上方に蓋部（２００）が開閉可能に蝶番部（３００）を介して接続し、キャップ本体（１００）は、周壁（１１０）下端内側にボトル（２０）の咬合リング（２２）と打栓時に咬合する咬合リング（１１１）を設け、周壁の上端内側に分別回収用の薄肉脆弱線（１０１）を介して天板（１２０）が接続し、天板の外周縁部の上面に蓋部の嵌合部（２１２）をもつ嵌着凹部（２１１）と嵌合する嵌合部（１３１）をもつ嵌着リング（１３０）を設け、この嵌着リングの内側に注出筒（１４０）を立設し、注出筒の下方内側にリング状の薄肉脆弱線（１５１）を介して、先端にプルリング（１５３）をもつ支柱（１５２）を周縁部に立設する封鎖板（１５０）を設け、天板（１２０）の下面の外周縁部にボトル（２０）の口頸部（２１）の天面と密接するコンタクトリング（１２１）を設け、このコンタクトリングの内側にボトルの口頸部の内面に密接して封止するインナーリング（１６０）を設け、蓋部（２００）は、周壁（２１０）の下端内側にキャップ本体（１００）の嵌合部（１３１）をもつ嵌合リング（１３０）と嵌着する嵌合部（２１２）をもつ嵌着凹部（２１１）を設け、天板（２２０）の下面にキャップ本体（１００）の注出筒（１４０）の内面に密接するインナーリング（２３０）を垂設したものが知られている。
【０００３】
【発明が解決しようとする課題】
しかしながら、上述の従来の打栓式分別回収用プラスチックキャップは、蓋部を開けてキャップ本体の注出筒内のプルリングを指で引っ張って薄肉脆弱線を切断して封鎖板を取り外して開口して内容物を注出したのち、図４に示すように、ボトル（２０）を再封止するため、蓋部（２００）をキャップ本体（１００）にパチンと閉じる（矢印で示す）と、キャップ本体の周壁（１１０）の上面と嵌着リング（１３０）の外周面（Ｂ部）に付着した内容物（３０）が、水鉄砲の原理でキャップの周囲に飛散して、卓上や着ている服などを汚すことがあった。また、ボトルの口頸部に打栓するときなどの蓋部にかかる外圧により、キャップ本体に設けられている分別回収用の薄肉脆弱線が切断してしまうことなどがあった。
【０００４】
本発明は、上述の従来の打栓式分別回収用プラスチックキャップの問題を解決したものであり、内容物を注出したのちに、ボトルを再封止するため、蓋部をキャップ本体にパチンと閉じたときに、キャップ本体の外周面に付着していた内容物が、周囲に飛散することがなく、また、ボトルの口頸部に打栓するときなどの蓋部にかかる外圧により、キャップ本体に設けられている分別回収用の薄肉脆弱線が切断することがない打栓式分別回収用プラスチックキャップを提供するものである。
【０００５】
【課題を解決するための手段】
すなわち、本発明の第１の発明は、キャップ本体（１００）の上方に蓋部（２００）が開閉可能に蝶番部（３００）を介して接続し、この蓋部の周壁（２１０）下端内周に嵌着凹部（２１１）を設け、前記キャップ本体の周壁（１１０）の上端内側に薄肉脆弱線（１０１）を介して天板（１２０）が接続し、この天板（１２０）の外周縁部の上面に嵌着リング（１３０）を設け、ボトルの口頸部に打栓して装着されるプラスチックキャップ（１０）であって、前記蓋部（２００）を前記キャップ本体（１００）に閉じたときに、前記キャップ本体（１００）の嵌着リング（１３０）の上面に当接する圧力受けリング（２１３）を、前記蓋部（２００）の嵌着凹部（２１１）の天面に連続的又は断続的に設け、且つ、前記蓋部（２００）の周壁（２１０）の下面と前記キャップ本体（１００）の周壁（１１０）の上面との間に間隙（２１４）を設けたことを特徴とする打栓式分別回収用プラスチックキャップである。
【０００６】
また、本発明の第２の発明は、前記蓋部（２００）の周壁（２１０）下面又は前記キャップ本体（１００）の周壁（１１０）上面に、圧力受け補助リング（２１５又は１１２）を連続的又は断続的に設けたことを特徴とする請求項１記載の打栓式分別回収用プラスチックキャップである。
【０００７】
また、本発明の第３の発明は、キャップ本体（１００）の上方に蓋部（２００）が開閉可能に蝶番部（３００）を介して接続し、この蓋部の周壁（２１０）下端内周に嵌着凹部（２１１）を設け、前記キャップ本体の周壁（１１０）の上端内側に薄肉脆弱線（１０１）を介して天板（１２０）が接続し、この天板（１２０）の外周縁部の上面に嵌着リング（１３０）を設け、ボトルの口頸部に打栓して装着するプラスチックキャップ（１０）であって、前記蓋部（２００）を前記キャップ本体（１００）に閉じたときに、前記蓋部（２００）の嵌着凹部（２１１）の天面に当接する圧力受けリング（１３２）を、キャップ本体（１００）の嵌着リング（１３０）の上面に連続的又は断続的に設け、且つ、前記蓋部（２００）の周壁（２１０）の下面と前記キャップ本体（１００）の周壁（１１０）の上面との間に間隙（２１４）を設けたことを特徴とする打栓式分別回収用プラスチックキャップである。
【０００８】
また、本発明の第４の発明は、前記蓋部（２００）の周壁（２１０）下面又は前記キャップ本体（１００）の周壁（１１０）上面に、圧力受け補助リング（２１５又は１１２）を連続的又は断続的に設けたことを特徴とする請求項３記載の打栓式分別回収用プラスチックキャップである。
【０００９】
そして、本発明の第５の発明は、前記間隙（２１４）が０．４〜０．６ｍｍであることを特徴とする請求項１乃至請求項４のいずれか１項に記載の打栓式分別回収用プラスチックキャップである。
【００１０】
【作用】
本発明の打栓式分別回収用プラスチックキャップは、蓋部をキャップ本体に閉じたときに、蓋部の周壁の下面とキャップ本体の周壁の上面との間に０．４〜０．６ｍｍの間隙を生じるように設計されているため、内容物を注出したのちに、ボトルを再封止するため、蓋部をキャップ本体にパチンと閉じても、キャップ本体の周壁の上面と嵌着リングの外周面に付着した内容物が、水鉄砲の原理でキャップの周囲に飛散することがない。
【００１１】
また、本発明の打栓式分別回収用プラスチックキャップは、蓋部の嵌着凹部の天面に当接する圧力受けリングを、キャップ本体の嵌着リングの上面に連続的又は断続的に設けているため、ボトルの口頸部に打栓するときなどの蓋部にかかる外圧は、蓋部から圧力受けリングを経てキャップ本体の嵌着リングに伝わり、更にキャップ本体の天板を経てボトルの口頸部へと伝わって行く。このため、キャップ本体に設けられている分別回収用の薄肉脆弱線に外圧がストレートにかかることがないので、蓋部にかかる外圧により、分別回収用の薄肉脆弱線が切断されることがない。
【００１２】
【発明の実施の形態】
次に、本発明の打栓式分別回収用プラスチックキャップを実施形態に基づいて図を用いて詳細に説明する。
【００１３】
一実施形態の本発明のプラスチックキャップ（１０）は、図１及び図２（ａ）に示すように、キャップ本体（１００）の上方に蓋部（２００）が開閉可能に蝶番部（３００）を介して接続し、キャップ本体（１００）は、周壁（１１０）下端内側にボトル（２０）の咬合リング（２２）と打栓時に咬合する咬合リング（１１１）を設け、周壁の上端内側に分別回収用の薄肉脆弱線（１０１）を介して天板（１２０）が接続し、天板の外周縁部の上面に蓋部の嵌合部（２１２）をもつ嵌着凹部（２１１）と嵌合する嵌合部（１３１）をもつ嵌着リング（１３０）を設け、この嵌着リングの内側に注出筒（１４０）を立設し、注出筒の下方内側にリング状の薄肉脆弱線（１５１）を介して、先端にプルリング（１５３）をもつ支柱（１５２）を周縁部に立設する封鎖板（１５０）を設け、天板（１２０）の下面の外周縁部にボトル（２０）の口頸部（２１）の天面と密接するコンタクトリング（１２１）を設け、このコンタクトリングの内側にボトルの口頸部の内面に密接して封止するインナーリング（１６０）を設け、蓋部（２００）は、周壁（２１０）の下端内側にキャップ本体（１００）の嵌合部（１３１）をもつ嵌合リング（１３０）と嵌着する嵌合部（２１２）をもつ嵌着凹部（２１１）を設け、天板（２２０）の下面にキャップ本体（１００）の注出筒（１４０）の内面に密接するインナーリング（２３０）を垂設するものであり、蓋部をキャップ本体に閉じたときに、キャップ本体の嵌着リング（１３０）の上面に当接する圧力受けリング（２１３）を、蓋部の嵌着凹部（２１１）の天面に連続的又は断続的に設けるものであり、且つ、蓋部の周壁（２１０）の下面とキャップ本体の周壁（１１０）の上面との間に間隙（２１４）を設けるものである。また、更に蓋部の周壁（２１０）の下面に連続的又は断続的に圧力受け補助リング（２１５）を設けてもよく、または、キャップ本体の周壁の上面に連続的又は断続的に圧力受け補助リングを設けてもよい。なお、前述の間隙は、発明者らの試行から得られた知見では、０．４〜０．６ｍｍでよく、０．４ｍｍ以下では効果が十分ではなく、また、０．６ｍｍ以上では外部からの塵埃などの侵入が懸念される。また、キャップ本体及びキャップ本体は、ポリエチレンやポリプロピレンなどの熱可塑性樹脂を用いて、射出成形法により、別体又は一体に作製されるものである。
【００１４】
また、他の一実施形態の本発明のプラスチックキャップ（１０）は、基本構造は前述の実施形態のプラスチックキャップと同様であるが、蓋部（２００）をキャップ本体（１００）に閉じたときに、図２（ｂ）に示すように、蓋部の嵌着凹部（２１１）の天面に当接する圧力受けリング（１３２）を、キャップ本体の嵌着リング（１３０）の上面に連続的又は断続的に設けるものであり、且つ、蓋部の周壁（２１０）の下面とキャップ本体の周壁（１１０）の上面との間に間隙を設けるものである。また、更にキャップ本体の周壁（１１０）の上面に連続的又は断続的に圧力受け補助リング（１１２）を設けてもよく、または、蓋部の周壁の下面に連続的又は断続的に圧力受け補助リングを設けてもよい。
【００１５】
なお、上述の本発明の実施形態の打栓式分別回収用プラスチックキャップは、醤油を充填したボトルの口頸部に打栓して装着したが、キャップ本体に設けられている分別回収用の薄肉脆弱線が、いづれも打栓の外圧により切断することがなかった。また、蓋部を開いてプルリングを指で引っ張って開口し、醤油を注出したのち、再封止するために、蓋部をキャップ本体にパチンと閉じても、周囲に醤油が飛散することはなかった。
【００１６】
【発明の効果】
本発明の打栓式分別回収用プラスチックキャップは、内容物を注出したのちに、ボトルを再封止するため、蓋部をキャップ本体にパチンと閉じても、キャップ本体の周壁の上面と嵌着リングの外周面に付着した内容物がキャップの周囲に飛散して、卓上や着ている服などを汚すことがない。また、ボトルの口頸部に打栓するときなどの蓋部にかかる外圧により、キャップ本体に設けられている分別回収用の薄肉脆弱線が切断される懸念がない。
【図面の簡単な説明】
【図１】本発明の一実施形態のプラスチックキャップを、ボトルの口頸部に装着したときの断面図である。
【図２】（ａ）は、図１に示すプラスチックキャップのＡ部分の拡大断面図であり、（ｂ）は、他の一実施形態のプラスチックキャップのＡ部分の拡大断面図である。
【図３】従来の一例の打栓式分別回収用プラスチックキャップを、ボトルの口頸部に装着したときの断面図である。
【図４】内容物を注出したのち、蓋部をキャップ本体に閉じたときに、キャップ本体の周壁上面に付着していた内容物が、ボトル周辺へ飛散する状態を示す説明図である。
【符号の説明】
１０……プラスチックキャップ
２０……ボトル
２１……口頸部
２２，１１１……咬合リング
３０……内容物
１００……キャップ本体
１０１，１５１……薄肉脆弱線
１１０，２１０……周壁
１１２，２１５……圧力受け補助リング
１２０，２２０……天板
１２１……コンタクトリング
１３０……嵌着リング
１３１，２１２……嵌合部
１３２，２１３……圧力受けリング
１４０……注出筒
１５０……封鎖板
１５２……支柱
１５３……プルリング
１６０，２３０……インナーリング
２００……蓋部
２１１……嵌着凹部
２１４……間隙
３００……蝶番部
【図１】
0004132460.tif 000002
【図２】
0004132460.tif 000003
【図３】
0004132460.tif 000004
【図４】
0004132460.tif 000005